(57)【要約】【課題】関心領域が撮影された複数枚の画像を一度に表示し、関心領域に着目した診断を行うことを可能とする。【解決手段】医用レポートを作成するレポート作成画面３０で、ビューワ３１に表示された医用画像３３ａ〜３３ｆのうち、異常部位を含む関心領域４０を指定する。関心領域４０を指定された医用画像３３ａ〜３３ｆはグループ化される。グループに帰属された１つの医用画像３３ｅをコメント編集領域３６の指定位置にドラッグ・ドロップ操作すると、グループ情報及びそのグループに帰属する医用画像３３ｃ〜３３ｆの関心領域４０に係る位置情報が関連付けて記憶される。【選択図】図６
2009086765.tif 000002
【特許請求の範囲】
【請求項１】
複数枚の医用画像を表示する画像表示手段と、
前記医用画像の所見を含むコメントが入力されるコメント編集領域を表示する編集領域表示手段と、
前記医用画像内の関心領域を指定する領域指定手段と、
複数枚の医用画像の中から前記領域指定手段で指定された関心領域を有する前記医用画像をグループ化して、そのグループ情報を生成するグループ化手段と、
前記コメント編集領域内の指定位置と、前記グループ情報及びそのグループに帰属する医用画像の前記関心領域に係る位置情報とを関連付けて記憶する関連付け手段とを設けたことを特徴とする医用レポートシステム。
【請求項２】
前記医用画像のデータから異常陰影を自動で抽出する異常陰影抽出手段を備えており、前記領域指定手段は、前記医用画像のデータから前記異常陰影抽出手段が抽出した異常陰影を前記関心領域として指定することを特徴とする請求項１記載の医用レポートシステム。
【請求項３】
前記レポートを表示するレポート表示手段と、
前記レポート表示手段に表示された前記レポートの前記指定位置に関連付けされた前記グループ情報及び前記関心領域に係る位置情報を読み出し、前記グループに帰属する全ての医用画像を表示させるとともに、前記医用画像内の前記関心領域を識別して前記レポート表示手段に表示させる表示制御手段とを備えたことを特徴とする請求項１又は２記載の医用レポートシステム。
【請求項４】
前記表示制御手段は、前記グループに帰属する全ての医用画像を前記レポート表示手段に表示させたとき、前記医用画像を同時に拡大・縮小表示させる表示制御を行うことを特徴とする請求項１ないし３記載の医用レポートシステム。
【請求項５】
前記表示制御手段は、前記グループに帰属する前記医用画像のいずれかを個別に拡大・縮小表示させる表示制御を行うことを特徴とする請求項１ないし３いずれか記載の医用レポートシステム。
【請求項６】
前記表示制御手段は、前記グループに帰属する全ての医用画像を同時にスクロール移動させる表示制御を行うことを特徴とする請求項１ないし５記載の医用レポートシステム。
【請求項７】
前記表示制御手段は、前記グループに帰属する医用画像のいずれかを個別にスクロール移動させる表示制御を行うことを特徴とする請求項１ないし５記載の医用レポートシステム。
【請求項８】
複数枚の医用画像を表示する画像表示手段と、
前記医用画像の所見を含むコメントが入力されるコメント編集領域を表示する編集領域表示手段と、
前記医用画像内の関心領域を指定する領域指定手段と、
複数枚の医用画像の中から前記領域指定手段で指定された関心領域を有する前記医用画像をグループ化して、そのグループ情報を生成するグループ化手段と、
前記コメント編集領域内の指定位置と、前記グループ情報及びそのグループに帰属する医用画像の前記関心領域に係る位置情報とを関連付けて記憶する関連付け手段とを設けたことを特徴とする医用レポート作成装置。
【請求項９】
前記領域指定手段は、前記医用画像のデータから異常陰影を自動で抽出して前記関心領域として指定することを特徴とする請求項８記載の医用レポート作成装置。
【請求項１０】
複数枚の医用画像を表示する画像表示ステップと、
前記医用画像の所見を含むコメントが入力されるコメント編集領域を表示する編集領域表示ステップと、
前記医用画像内の関心領域を指定する領域指定ステップと、
複数枚の医用画像の中から前記領域指定手段で指定された関心領域を有する前記医用画像をグループ化して、そのグループ情報を生成するグループ化ステップと、
前記コメント編集領域内の指定位置と、前記グループ情報及びそのグループに帰属する医用画像の前記関心領域に係る位置情報とを関連付けて記憶する関連付けステップとを含む医用レポート作成方法。
【発明の詳細な説明】
【技術分野】
【０００１】
本発明は、医用画像に関する医用レポートの作成と、表示とを行う医用レポートシステム、及びこの医用レポートシステムに用いられる医用レポート作成装置、及び医用レポートプログラムに関する。
【背景技術】
【０００２】
病院などの医療施設において、ＣＲ（Computed Radiography）装置、ＣＴ（Computed Tomography：コンピュータ断層撮影）装置、ＭＲＩ（Magnetic Resonance Imaging：磁気共鳴映像）装置、ＰＥＴ（Positron Emission Tomography：ポジトロン断層撮影）装置、超音波診断装置などといった様々な医療検査装置（モダリティ）が普及している。モダリティによって撮影された医用画像は、医師が患者を診断する際などに用いられ、患者の症状を確定する上で大きな役割を担っている。
【０００３】
一般に、各診療科に在籍する医師は、医用画像を基に診断を行う際、その医用画像の読影を専門の読影部門に依頼する。読影部門に在籍する医師は、依頼された医用画像の読影を行い、その結果をレポート（以下、医用レポートと称す）にまとめて依頼元の医師に報告する。各診療科の医師は、この医用レポートを基に患者に対する最終的な診断を行い、診断を確定する。
【０００４】
近年、医療分野では、業務の効率化を図るため、医用画像やカルテなどの電子化が進められており、上述のような読影業務をオンラインで行えるようにしたシステムが提案されている。例えば、特許文献１に記載された医用レポートを作成する医用システムでは、医用レポートのコメント欄に医用画像及び医用画像中の対応位置を特定するための関連情報を付加することにより、コメントが医用画像内のどの位置に対して記載されたかを容易に把握できるようになっている。
【特許文献１】特開２００４−３０５２８９号公報
【発明の開示】
【発明が解決しようとする課題】
【０００５】
上述したような医療検査を行う際、臓器や病変部位などの関心領域は、３次元的な広がりを持っているため、ＣＴ装置やＭＲＩ装置等による検査では、複数枚の画像に渡って撮影することが一般的である。
【０００６】
しかしながら、上記特許文献１記載の医用システムでは、複数枚の画像に亘って関心領域が表れている場合、対象とする画像を一枚ずつ指定し、その指定した画像の中の関心領域を一箇所ずつ指定して所見コメントに関連付けさせる入力操作を行わなければならないため、操作が面倒であった。さらに、同じ関心領域が撮影された画像同士をグループ化したり、画像の中の関心領域同士を関連付けたりすることは考慮されていないため、所見レポートの作成後、この所見レポートを表示して医師が診断を行うとき、同じ関心領域が撮影された複数枚の画像を見たいと思っても、レポートの内容から、１つずつの画像の情報を参照しなければならず、複数枚の画像を同時に参照したいときや、関心領域に着目して診断を行いときなど、画像を一度に参照することができないので、診断精度向上の妨げとなる。
【０００７】
本発明は、上記事情を考慮してなされたものであり、複数枚の画像に亘って撮影される医療検査で、関心領域が撮影された複数枚の画像を一度に表示し、関心領域に着目した診断を行うことが可能な医用レポートシステム、医用レポート作成装置、及び医用レポート作成方法を提供することを目的とする。
【課題を解決するための手段】
【０００８】
上記課題を達成するため、複数枚の医用画像を表示する画像表示手段と、前記医用画像の所見を含むコメントが入力されるコメント編集領域を表示する編集領域表示手段と、前記医用画像内の関心領域を指定する領域指定手段と、複数枚の医用画像の中から前記領域指定手段で指定された関心領域を有する前記医用画像をグループ化して、そのグループ情報を生成するグループ化手段と、前記コメント編集領域内の指定位置と、前記グループ情報及びそのグループに帰属する医用画像の前記関心領域に係る位置情報とを関連付けて記憶する関連付け手段とを設けたことを特徴とする。
【０００９】
なお、前記医用画像のデータから異常陰影を自動で抽出する異常陰影抽出手段を備えており、前記領域指定手段は、前記医用画像のデータから前記異常陰影抽出手段が抽出した異常陰影を前記関心領域として指定することが好ましい。また、前記レポートを表示するレポート表示手段と、前記レポート表示手段に表示された前記レポートの前記指定位置に関連付けされた前記グループ情報及び前記関心領域に係る位置情報を読み出し、前記グループに帰属する全ての医用画像を表示させるとともに、前記医用画像内の前記関心領域を識別して前記レポート表示手段に表示させる表示制御手段とが好ましい。さらにまた、前記表示制御手段は、前記グループに帰属する全ての医用画像を前記レポート表示手段に表示させたとき、前記医用画像を同時に拡大・縮小表示させる表示制御を行うことが好ましい。あるいは、前記表示制御手段は、前記グループに帰属する前記医用画像のいずれかを個別に拡大・縮小表示させる表示制御を行うことが好ましい。なお、前記表示制御手段は、前記グループに帰属する全ての医用画像を同時にスクロール移動させる表示制御を行うことが好ましい。また、前記表示制御手段は、前記グループに帰属する医用画像のいずれかを個別にスクロール移動させる表示制御を行うことが好ましい。
【００１０】
本発明の医用レポート作成装置は、複数枚の医用画像を表示する画像表示手段と、
前記医用画像の所見を含むコメントが入力されるコメント編集領域を表示する編集領域表示手段と、前記医用画像内の関心領域を指定する領域指定手段と、複数枚の医用画像の中から前記領域指定手段で指定された関心領域を有する前記医用画像をグループ化して、そのグループ情報を生成するグループ化手段と、前記コメント編集領域内の指定位置と、前記グループ情報及びそのグループに帰属する医用画像の前記関心領域に係る位置情報とを関連付けて記憶する関連付け手段とを設けたことを特徴とする。なお、前記領域指定手段は、前記医用画像のデータから異常陰影を自動で抽出して前記関心領域として指定することが好ましい。
【００１１】
本発明の医用レポート作成方法では、複数枚の医用画像を表示する画像表示ステップと、前記医用画像の所見を含むコメントが入力されるコメント編集領域を表示する編集領域表示ステップと、前記医用画像内の関心領域を指定する領域指定ステップと、複数枚の医用画像の中から前記領域指定手段で指定された関心領域を有する前記医用画像をグループ化して、そのグループ情報を生成するグループ化ステップと、前記コメント編集領域内の指定位置と、前記グループ情報及びそのグループに帰属する医用画像の前記関心領域に係る位置情報とを関連付けて記憶する関連付けステップとを含む。
【発明の効果】
【００１２】
本発明では、医用画像内の関心領域を指定し、複数枚の医用画像の中から前記関心領域を有する前記医用画像をグループ化して、コメント編集領域内の指定位置と、グループ情報及びそのグループに帰属する医用画像の関心領域に係る位置情報とを関連付けて記憶するようにした。これにより、複数枚の画像に亘って撮影される医療検査で、関心領域が撮影された複数枚の画像を一度に表示し、関心領域に着目した診断を行うことができる。
【発明を実施するための最良の形態】
【００１３】
図１に示す大規模な医療施設としての病院２には、外科、内科などの各診療科３と、医療検査を行う検査科４と、医療検査のレポート作成及び参照するための医用ネットワークシステム（医用レポートシステム）５とが設けられている。検査科４には、検査画像を撮影する撮影室６と、撮影室６で撮影した検査画像を読影する読影室７とが設けられている。撮影室６には、ＣＴ（Computed Tomography）装置やＭＲＩ（Magnetic Resonance Imaging）装置、ＣＲ（Computed Radiography）装置など高度且つ精密な医療検査装置としてのモダリティ機器９が設置されている。
【００１４】
医用ネットワークシステム（医用レポートシステム）５は、診療科端末１０、画像サーバ１１、レポートサーバ１２、レポート作成端末１３、及びこれらの通信を行うＬＡＮ（Local Area Network）１４とからなる。
【００１５】
画像サーバ１１には、画像ＤＢ（データベース）１６が設けられ、レポートサーバ１２には、レポートＤＢ１７が設けられる。画像ＤＢ１６、レポートＤＢ１７としては、ハードディスクドライブなどが使用される。検査科４へ検査が依頼されたとき、モダリティ機器９によって取得された医用画像は、検査ＩＤが与えられ、ＬＡＮ１４を介して画像サーバ１１へ送信されて画像ＤＢ１６に記憶される。レポートＤＢ１７には、後述するレポート作成端末１３で作成されるレポートデータが記憶される。診療科端末（依頼元端末）１０は、各診療科３に設置され、検査の依頼を行う依頼医が利用して検査予約申し込み及びレポートの表示などを行う。
【００１６】
レポート作成端末（医用レポート装置）１３は、読影室７に設置され、例えば、パーソナルコンピュータやワークステーションをベースに医用レポート作成プログラムをインストールしたもので、詳しくは図２に示すように、本体１８及びコンソール１９とからなる。コンソール１９は、モニタ２１と、マウス２３やキーボード２４などの入力デバイスとが設けられている。この医用レポート装置１３は、配信されたデータを解釈することによって、後述するレポート作成画面３０を構成し、モニタ２１に出力する
【００１７】
本体１８は、ＣＰＵ（CentralProcessing Unit）２６，メモリ２７，ＨＤＤ（Hard Disk Drive）２８、通信Ｉ／Ｆ２９とからなる。ＨＤＤ２８は、周知のデータストレージデバイスであり、オペレーティングシステムや各種プログラム、医用画像に関連付けられた検査情報を格納する。検査情報には、受付番号、患者ＩＤ、患者氏名、検査条件などが含まれる。メモリ２７は、ＣＰＵ２１が処理を実行するために使用するワークメモリである。通信Ｉ／Ｆ２９は、ＬＡＮ１４を通じてデータを送受信する際にＬＡＮ１４の通信プロトコルに応じた通信制御を行う。
【００１８】
ＣＰＵ２６は、装置各部を統括的に制御するとともに、医用レポート作成プログラムを実行することで、レポート作成部２６ａ、画像表示制御部２６ｂ、領域指定部２６ｃ、グループ化処理部２６ｄ、及び関連付け処理部２６ｅとして機能する。
【００１９】
画像表示制御部２６ｂは、図２に示すレポート作成画面３０をモニタ２１に表示させるときに機能する。レポート作成画面３０は、画面右側に位置するビューワ（画像表示手段）３１と、画面左側に位置するエディタ（編集領域表示手段）３２とからなる。ビューワ３１には、画像ＤＢ１６から読み出された医用画像が表示される。ＣＴ検査やＭＲＩ検査など複数の画像が撮影される検査では、同一の医療検査で撮影された医用画像が全て一度に表示される。以下で説明する具体例では、ＣＴ検査で撮影された６枚の医用画像（断層画像）３３ａ〜３３ｆがビューワ３１に表示された場合を示す。この医用画像３３ａ〜３３ｆは、同一患者の体軸方向と直交する面と平行に、一定の間隔を置いて連続スライスした状態を示す断層画像群であり、医用画像３３ａは、６枚の医用画像３３ａ〜３３ｆのうち最下層の位置で撮影されたことを示す番号１が付されており、以下、医用画像３３ｂ〜３３ｆに付された番号２〜６は、最下層から一層ずつ上の位置で撮影された順番を示す。
【００２０】
エディタ（編集領域表示手段）３２には、コメント編集領域３６と、検査情報表示領域３７、完了ボタン３８とが表示される。コメント編集領域３６には、所見、診断、その他のコメント欄３６ａ〜３６ｃを備えており、各コメント欄にマウスのポインタを合わせられてキーボードによってコメントが入力される。読影医は、ビューワ３１に表示した医用画像３３ａの読影結果を表すコメントを各コメント欄３６ａ〜４６ｃへ入力する。そして、この例では、番号３〜６の医用画像３３ｃ〜３３ｆに、病変部位が表れており、これらの病変部位についてのコメントを所見コメント欄３６ａに入力している。コメント編集領域３６にコメントが入力されると、関連付け処理部２６ｅが機能して、コメントの指定位置に医用画像の情報を関連付けさせることができる。
【００２１】
以下では、この医用レポート装置１３で、コメント入力、及び画像情報の関連付けが行われてレポート作成が完了するまでのプロセスについて図４に示すフローチャートに沿って説明する。
【００２２】
先ず、医用レポート装置１３で医用レポートを作成するときには、コンソール１９を操作して検査ＩＤを入力すると、画像サーバ１１にアクセスして画像ＤＢ１６から検査ＩＤが関連付けられた医用画像を取得するとともにＨＤＤ２８から検査ＩＤが関連付けられた検査情報を読み出す。医用レポート装置１３は、図３に示すレポート作成画面３０を表示し、読影医はレポート作成画面３０に従って医用レポートを作成する。
【００２３】
読影医は、ビューワ３１に表示された医用画像３３ａ〜３３ｆを読影した結果を表すコメントを各コメント欄３６ａ〜３６ｃに入力した後、医用画像内の病変部位を含む関心領域を指定する処理を行う。この関心領域の指定については、コンソールからの入力によって行う。この場合、例えば、病変部位を囲むようにしてマウス２３をクリック操作すると、領域指定部（領域指定手段）２６ｃが機能して、クリック操作で囲んだ病変部位よりも若干広い範囲を関心領域４０として指定することができる。なお、関心領域４０を指定したことが視覚的に分かるように、関心領域４０の表示が画像内の他の箇所とは異なる表示、例えば、関心領域内だけ明るさを変えたり、関心領域を囲む線を表示したり、所定の色でフィルタを掛けた状態の表示にする。
【００２４】
なお、医用画像内から関心領域を指定する手段としては、上記の構成に限らず、周知のＣＡＤ（Computed Aided Diagnosis：コンピュータ支援診断）システムを用いて、医用画像のデータから異常陰影を自動で抽出し、この異常陰影を前記関心領域として指定する機能を備えていてもよい。
【００２５】
上述のように、複数の番号３〜６の医用画像３３ｃ〜３３ｆについて、全て関心領域４０を指定した状態とする（図５（Ａ）に示す状態）と、グループ化処理部（グループ化手段）２６ｄが機能して、関心領域４０が指定された医用画像３３ａ〜３３ｆに対してグループ化し、そのグループ情報を生成するグループ化処理が行われる（図５（Ｂ）に示す状態）。この例では、番号３〜６の医用画像３３ｃ〜３３ｆがグループ化したことを示すグループ情報が生成され、生成されたグループ情報はメモリ２７に一旦記憶される。なお、図５（Ｂ）では、番号３〜６の医用画像３３ｃ〜３３ｆがグループ化されたことを分かり易くするため、医用画像の周囲をフレーム４１で囲む表示としている。
【００２６】
グループ化処理が行われた後、このグループとなった番号３〜６の医用画像３３ｃ〜３３ｆのうち、１つの番号５の医用画像３３ｅを選択してマウス２３をドラッグ操作して、所見コメント欄３６ａへ入力したコメントの付近にマウス２３のポインタを合わせてドロップ操作すると、関連付け処理部２６ｅが機能して、このポインタを合わせた所見コメント欄３６ａの位置が、指定位置４５として指定され、この指定位置４５と、グループ情報、及びグループに帰属する医用画像３３ｃ〜３３ｆの関心領域４０の位置に係る情報（位置及び大きさ）とが関連付けされて記憶される。なお、このコメントへの関連付けを行う操作としては、上述したマウス２３のドラッグ・ドロップ操作に限らず、キーボード２４からのショートカットキー入力など、予め設定された所定の入力操作であればよい。また、この関連付けがなされたことを視覚的に分かりやすくするため、コメント付近の指定位置４５に医用画像の番号３〜６が表示された状態となる。
【００２７】
このようにしてコメント入力、及びコメントへの関連付けが終了すると完了ボタン３８がクリックされる。レポート完了ボタン３８がクリックされるとレポート作成部２６ａが機能してコメント及びコメントへの関連付け情報を含む医用レポートを作成し、レポートＤＢ１７へ記憶させる。
【００２８】
上述のように医用レポート装置１３で作成された医用レポートは、レポートＤＢ１７から読み出され、コメント、及びコメントに関連付けされた画像を表示させることができる。なお、本実施形態では、医用レポート装置１３とは別の端末で医用レポートを取得する例を示すが、医用レポート装置１３でレポートを取得及び表示させるようにしてもよい。
【００２９】
本実施形態では、診療科端末１０で医用レポートを取得及び表示し、検査を依頼した依頼医が医用レポートを閲覧する。この診療科端末１０は、図７に示すように、処理装置５１と、モニタ５２、マウス５３及びキーボード５４などからなる。処理装置５１には、表示制御部５６、通信Ｉ／Ｆ５７が設けられており、医用レポートを取得することによって、レポート表示画面６０を構成し、モニタ５２に出力する。
【００３０】
診療科端末１０では、検査ＩＤを入力するとＬＡＮ１４を介し、レポートサーバ１２へアクセスして医用レポートを取得することができる。医用レポートを受け取り、さらにこの医用レポートのコメントに関連付けされたグループ情報及びそのグループに帰属する医用画像の関心領域に係る位置情報を読み出して、これらの医用画像のデータを画像ＤＢ１７から取得する。そして、医用レポート及び医用画像を受け取ると、モニタ５２には、図７に示すようなレポート表示画面６０が表示される。レポート表示画面６０には、上述したレポート作成画面３０で入力したコメントを表示するコメント表示領域６１と、コメント欄の指定位置４５に関連付けされ、グループに帰属する全ての医用画像を表示する関連画像表示領域６２と、カーソルボタン６３、拡大縮小ボタン６４ａ，６４ｂとを備える。
【００３１】
コメント表示領域６１には、各種コメントと、このコメントの指定位置４５に関連付けされた医用画像３３ｃ〜３３ｆを示す番号３〜６が表示されており、この番号３〜６をクリックすると、関連付けされ、グループに帰属する全ての医用画像３３ｃ〜３３ｆが関連画像表示領域６２に表示される。さらに、各医用画像３３ｃ〜３３ｆの関心領域４０に係る位置情報も読み込まれているため、関心領域４０が視覚的に識別可能なように、他の箇所と異なる表示となっている。
【００３２】
関連画像表示領域６２に医用画像３３ｃ〜３３ｆが表示されたとき、カーソルボタン６３をクリックすると、それぞれのカーソルボタンが示す方向へ画像がスクロール移動する。これによって、関心領域４０を各画像の中心に移動させることができる。また、拡大・縮小ボタン６４ａ，６４ｂをクリックすると、各画像が拡大・縮小された画像となるように表示が切り替えられる。よって、これらのカーソルボタン６３及び拡大・縮小ボタン６４ａ，６４ｂをクリック操作することによって、図８に示すように、関心領域４０を各画像の中心に配置し、さらに拡大表示した画像を表示することができる。なお、関連画像表示領域６２に医用画像３３ｃ〜３３ｆを表示させたときは、全てを同時に拡大・縮小したり、スクロール移動させてもよいし、関連画像表示領域６２に表示された医用画像の少なくとも１つを指定し、この指定された医用画像だけを拡大・縮小、又はスクロール移動させる構成としてもよい。
【００３３】
上記構成の作用について説明する。上述のようにしてレポート作成端末１３を操作して、コメント編集領域内の指定位置と、グループ情報及びそのグループに帰属する医用画像の関心領域に係る位置情報とを関連付けて記憶した医用レポートを作成してレポートサーバ１２へ送信させる。そして、レポートサーバ１２から医用レポートを取得して表示させると、その医用レポートには、グループ情報及びそのグループに帰属する医用画像の関心領域に係る位置情報が関連付けされているため、同一患者の関心領域を含む医用画像を全て同時に、且つ関心領域が識別可能な状態で表示させることができる。そして、医用レポートを確認した依頼医は、関心領域を含み、グループに帰属された全ての医用画像を同時に閲覧することができるため、診断の精度が向上する。また、診療科端末１０では、グループに帰属された全ての医用画像について、関心領域を含む部分を中心に拡大した画像を表示することできるので、これらの拡大表示を閲覧することでさらに診断精度が向上する。
【００３４】
なお、上記実施形態においては、レポート表示画面にレポートが表示されるときは、関連付けされた情報を読み出し、グループに帰属された全ての画像を並べて表示し、それら全ての画像、又は指定した１つの画像をスクロール移動させたり、拡大表示するように表示制御を行っているが、これらに限るものではなく、複数の医用画像がＣＴ装置やＭＲＩ装置で撮影された断層画像である場合は、断層画像から再構成する周知の３次元画像表示法を用いて、図９に示すような３次元画像７０をレポート表示画面７１に表示させる。なおこの場合、例えば診療科端末１０の表示制御部５６に、複数の断層画像から３次元画像を再構成する機能を持たせる。
【００３５】
図９に示すように、複数の医用画像（断層画像）３３ｃ〜３３ｆから再構成した３次元画像７０を表示させる際は、医用画像３３ｃ〜３３ｆを撮影したときのスライス厚を入力しておく。このスライス厚の入力方法としては、診療科端末１０のコンソールから入力するようにしてもよいし、医用画像３３ｃ〜３３ｆにスライス厚の情報を予め関連付けしておき、それを読み出すようにしてもよい。
【００３６】
そして、レポート表示画面７１に医用画像３３ｃ〜３３ｆが表示されるとき、スライス厚の値を用いて複数の医用画像３３ｃ〜３３ｆを下層から上層へと積み上げるようにして再構成する処理を行い、３次元画像７０が形成される。なお、この場合、スライス厚の実際の値を用いて処理を行ってもよいし、スライス厚に所定の倍数を乗算した値を用いて処理を行ってもよい。さらに、医用画像３３ｃ〜３３ｆに含まれる関心領域４０についても同様の処理で３次元画像に再構成し、医用画像全体の３次元画像７０ａに関心領域の３次元画像７０ｂを重ね合わせて表示する。このとき、医用レポートに関連付けられた関心領域４０の位置情報から、医用画像全体の３次元画像７０ａに対する関心領域の３次元画像７０ｂが、実際の位置関係で表示されるように画像が構成されている。このような三次元画像を表示させることによって関心領域を視覚的に捕らえることが可能となり、さらに診断の精度が向上する。
【００３７】
なお、上記実施形態では、レポート作成画面及びレポート表示画面において、同じ画面内にレポートのコメントと、医用画像とを表示させる構成としているが、これに限らず、医用画像を表示するモニタと、レポートのコメントを含む情報表示するモニタとを別々に設けるようにしてもよい。
【００３８】
また、上記実施形態においては、コメント編集領域３６のうちの１つの指定位置と、１つのグループ情報及びそのグループに帰属する医用画像の関心領域に係る位置情報とが関連付けされる例を上げているが、本発明はこれに限らず、コメント編集領域３６の複数箇所の位置にそれぞれ別のグループ情報及びそのグループに帰属する医用画像の関心領域に係る位置情報を関連付けて記憶させるようにしてもよい。                    
【図面の簡単な説明】
【００３９】
【図１】医用レポートシステムの説明図である。
【図２】医用レポート装置の概略構成図である。
【図３】レポート作成画面の例である。
【図４】レポート作成のプロセスを示すフローチャートである。
【図５】関心領域の指定とグループ化処理の説明図である。
【図６】コメント編集領域に情報を関連付けさせるときの操作方法を示す説明図である。
【図７】レポート表示画面の例である。
【図８】レポート表示画面でグループに帰属する全ての医用画像を拡大表示させるときの例である。
【図９】図７とは別のレポート表示画面の例である。
【符号の説明】
【００４０】
５  医用レポートシステム
１１  画像サーバ
１２  レポートサーバ
１３  医用レポート装置
１８  本体
１９  コンソール
２１，５２  モニタ
２６  ＣＰＵ
２６ａ  レポート作成部
２６ｃ  領域指定部
２６ｄ  グループ化処理部
２６ｅ  関連付け処理部
３０  レポート作成画面
３３ａ〜３３ｆ  医用画像
６０，７１  レポート表示画面
【図１】
2009086765.tif 000003
【図２】
2009086765.tif 000004
【図３】
2009086765.tif 000005
【図４】
2009086765.tif 000006
【図５】
2009086765.tif 000007
【図６】
2009086765.tif 000008
【図７】
2009086765.tif 000009
【図８】
2009086765.tif 000010
【図９】
2009086765.tif 000011